(57)【要約】【課題】この発明は、リテーナやリテーナ装着部が損傷することなく、リテーナが所定の位置より検知部材側に突出しているか否かを判別することができるコネクタ検査装置、コネクタ検査方法、及び導通検査装置の提供を目的とする。【解決手段】コネクタ検査装置１０、コネクタ検査方法、及び導通検査装置１１は、リテーナ４が装着された雄型コネクタ１のリテーナ装着部１ｅと対向配置された検知部材３３と、雄型コネクタ１のリテーナ装着部１ｅに向けて検知部材３３を付勢するコイルスプリング３８と、リテーナ装着部１ｅに装着されたリテーナ４が所定の位置より検知部材３３側に突出した状態において、検査部４０の収容部３０側への相対移動に伴い、検知部材３３の突出検知面３３ｃに当接される突出検知体４１を備えている。【選択図】図９
2017117683.tif 000002
【特許請求の範囲】
【請求項１】
挿入した端子に係止するリテーナを装着したコネクタが収容される収容部と、該収容部に対して当接される方向へ相対移動して前記リテーナの装着状態を検査する検査部とが備えられたコネクタ検査装置であって、
前記リテーナが装着された前記コネクタのリテーナ装着部に対向配置された検知部材と、
前記コネクタに向けて前記検知部材を付勢する付勢手段と、
前記リテーナ装着部に装着された前記リテーナが所定の位置より前記検知部材側に突出した状態において、前記検査部の相対移動に伴い、前記検知部材に当接される突出検知体とが備えられた
コネクタ検査装置。
【請求項２】
前記検査部と前記突出検知体とが一体に構成された
請求項１に記載のコネクタ検査装置。
【請求項３】
前記リテーナが前記所定の位置に取り付けられた状態において、
前記突出検知体と前記検知部材との対向する部分が、互いに嵌合する凹部と凸部で構成されている
請求項１又は２に記載のコネクタ検査装置。
【請求項４】
前記リテーナが前記所定の位置に取り付けられた状態において、
前記突出検知体が、
前記リテーナ装着部に当接される前記検知部材の当接側端面と反対側の面に沿って移動可能に構成されている
請求項１又は２に記載のコネクタ検査装置。
【請求項５】
前記コネクタが前記収容部に収容される前の状態において、
前記リテーナ装着部に当接される前記検知部材の当接側端面が、
前記リテーナ装着部と対向する前記収容部の内壁部より内側に突出している
請求項１〜４のいずれか一つに記載のコネクタ検査装置。
【請求項６】
前記当接側端面における前記リテーナと対向する部分に、該リテーナ側に向けて突出した当接部が設けられている
請求項５に記載のコネクタ検査装置。
【請求項７】
前記収容部、及び前記検査部のうち少なくとも一方に、
前記収容部と前記検査部とが互いに当接、及び離間されたことを検知する当接検知手段が設けられている
請求項１〜６のいずれか一つに記載のコネクタ検査装置。
【請求項８】
挿入した端子に係止するリテーナを装着したコネクタが収容される収容部と、該収容部に対して当接される方向へ相対移動して前記リテーナの装着状態を検査する検査部とが備えられたコネクタ検査装置を用いたコネクタ検査方法であって、
前記コネクタ検査装置は、
前記リテーナが装着された前記コネクタのリテーナ装着部に対向配置された検知部材と、
前記コネクタに向けて前記検知部材を付勢する付勢手段と、
前記リテーナ装着部に装着された前記リテーナが所定の位置より前記検知部材側に突出した状態において、前記検査部の相対移動に伴い、前記検知部材に当接される突出検知体とを備え、
前記コネクタを前記収容部に収容する工程と、
前記検査部を前記相対移動させる工程とを、この順に行う
コネクタ検査方法。
【請求項９】
請求項１〜７のいずれか一つに記載の前記コネクタ検査装置の前記検査部に、前記端子の導通状態を検査する導通検査部が備えられた
導通検査装置。
【発明の詳細な説明】
【技術分野】
【０００１】
この発明は、例えば自動車用ワイヤハーネスの接続を担うコネクタに装着されたリテーナの装着状態を検査するコネクタ検査装置、コネクタ検査方法、及び導通検査装置に関する。
【背景技術】
【０００２】
例えば自動車等に装備された電装機器は、複数本の被覆電線を束ねたワイヤハーネスを介して、別の電装機器や電源装置と接続されている。このワイヤハーネスは、被覆電線の端部に接続された端子を、コネクタに装着した構成である。
【０００３】
コネクタの一般的な端子の保持構造としては、例えばコネクタのリテーナ装着部に装着したリテーナと、コネクタに挿入した端子とを係止して保持する構造が採用されており、端子を係止するリテーナが、コネクタのリテーナ装着部に対して所定の位置に取り付けられているか否かを検査する装置としてリテーナ嵌合状態検査用装置（特許文献１参照）が提案されている。
【０００４】
特許文献１のリテーナ嵌合状態検査用装置は、端子が挿入されたコネクタを収容部に保持し、検査部を収容部側へ移動させることで、検査部に設けたリテーナ当接部をコネクタのリテーナ装着部に沿って移動させ、リテーナ当接部がリテーナに当接されるか否かにより、リテーナが所定の位置に取り付けられているか判別する。
【０００５】
具体的には、端子がコネクタに対して確実に挿入されていない場合、リテーナは、端子に係止されていない分だけコネクタのリテーナ装着部に装着した所定の位置より外側に突出されているため、コネクタのリテーナ装着部に沿って移動するリテーナ当接部が当接される。
【０００６】
一方、端子がコネクタに対して確実に挿入されている場合、リテーナは、コネクタのリテーナ装着部に対して所定の位置に取り付けられているため、コネクタのリテーナ装着部に沿って移動するリテーナ当接部との当接が回避される。
【０００７】
このようにして、リテーナが所定の位置に取り付けられているか判別することで、コネクタに端子が確実に挿入されているか否かを判別することができるが、端子がコネクタに対して確実に挿入されていない場合、リテーナ当接部の当接力がリテーナに直接作用するため、リテーナやリテーナ装着部が損傷しやすく、コネクタのリテーナ装着部に対してリテーナが所定の位置に取り付けられているか否かを正確に判別できないおそれがあった。
【先行技術文献】
【特許文献】
【０００８】
【特許文献１】特開２０１１−８９８９号公報
【発明の概要】
【発明が解決しようとする課題】
【０００９】
この発明は、リテーナやリテーナ装着部が損傷することなく、リテーナが所定の位置より検知部材側に突出しているか否かを判別することができるコネクタ検査装置、コネクタ検査方法、及び導通検査装置を提供することを目的とする。
【課題を解決するための手段】
【００１０】
この発明は、挿入した端子に係止するリテーナを装着したコネクタが収容される収容部と、該収容部に対して当接される方向へ相対移動して前記リテーナの装着状態を検査する検査部とが備えられたコネクタ検査装置であって、前記リテーナが装着された前記コネクタのリテーナ装着部に対向配置された検知部材と、前記コネクタに向けて前記検知部材を付勢する付勢手段と、前記リテーナ装着部に装着された前記リテーナが所定の位置より前記検知部材側に突出した状態において、前記検査部の相対移動に伴い、前記検知部材に当接される突出検知体とが備えられたことを特徴とする。
【００１１】
またこの発明は、挿入した端子に係止するリテーナを装着したコネクタが収容される収容部と、該収容部に対して当接される方向へ相対移動して前記リテーナの装着状態を検査する検査部とが備えられたコネクタ検査装置を用いたコネクタ検査方法であって、前記コネクタ検査装置は、前記リテーナが装着された前記コネクタのリテーナ装着部に対向配置された検知部材と、前記コネクタに向けて前記検知部材を付勢する付勢手段と、前記リテーナ装着部に装着された前記リテーナが所定の位置より前記検知部材側に突出した状態において、前記検査部の相対移動に伴い、前記検知部材に当接される突出検知体とを備え、前記コネクタを前記収容部に収容する工程と、前記検査部を前記相対移動させる工程とを、この順に行うことを特徴とする。
【００１２】
前記リテーナは、例えばコネクタのリテーナ装着部に対して一体に設けたり、あるいは、リテーナ装着部に対して着脱可能に設けたりすることができる。前記突出検知体は、例えば板状や、棒状等に形成することができる。前記付勢手段は、例えばコイルスプリングや板バネ、合成ゴム等で構成することができる。
【００１３】
上述の所定の位置は、例えば端子がコネクタに対して確実に挿入された状態において、リテーナ装着部に装着したリテーナが端子に対して確実に係止されている位置、あるいは、コネクタに設けられたランス部とリテーナとが端子に対して確実に係止されている位置である。上述の検知部材側に突出した状態は、例えば検知部材側と対向する方向に突出する突出状態、あるいは、対向する方向と交差する突出状態を含む概念である。  
なお、上述の端子がコネクタに対して確実に挿入された状態とは、例えば端子が、コネクタの端子挿入孔に対してしっかりと挿入された状態である。
【００１４】
この発明によれば、リテーナやリテーナ装着部が損傷することなく、リテーナが所定の位置より検知部材側に突出しているか否かを判別することができる。  
詳しくは、端子がコネクタに対して確実に挿入されている場合、コネクタのリテーナ装着部に対してリテーナが所定の位置に取り付けられているため、検査部と収容部とを互いに当接される方向へ相対移動する際に、突出検知体が検知部材に当接されることがない。
【００１５】
一方、端子がコネクタに対して確実に挿入されていない場合、例えばコネクタに端子が半挿入状態に挿入されているため、端子に係止されていない分だけリテーナが所定の位置より検知部材側に突出されるとともに、リテーナ装着部と対向配置された検知部材に当接される。リテーナに当接された検知部材は、付勢手段の付勢力に抗してリテーナの突出分だけ押し戻されるため、検査部を収容部側へ相対移動する際に、突出検知体が検知部材に当接する。
【００１６】
この結果、リテーナが所定の位置より検知部材側に突出しているか否かを判別することができるとともに、コネクタに端子が確実に挿入されているか否かも判別することが可能である。  
また、突出検知体は検知部材のみに当接され、リテーナには当接されないため、突出検知体の当接力がリテーナに直接作用することを防止できる。これにより、リテーナやリテーナ装着部が損傷することを防止できる。
【００１７】
さらに、例えば突出検知部材の直接的な当接により、所定の位置より検知部材側に突出したリテーナの突出部分が破損された場合、端子に対するリテーナの係止が不確実であるにもかかわらず、リテーナが所定の位置より検知部材側に突出していないと誤判別されるおそれがあるが、本発明はリテーナが損傷することを防止できるため、リテーナの破損による誤判定を防止できる。
【００１８】
さらにまた、検知部材は、付勢手段の付勢力によりコネクタのリテーナ装着部と当接する方向に付勢されているため、コネクタを安定した収容状態に保持できる。  
これにより、リテーナの装着状態を検査する際に、コネクタの収容位置が変位したり、ガタ付いたりすることを防止できるため、リテーナの装着状態を確実に判別できる。
【００１９】
この発明の態様として、前記検査部と前記突出検知体とを一体に構成することができる。  
この発明によれば、リテーナが所定の位置より検知部材側に突出しているか否かを効率的に判別することができる。  
詳しくは、検査部と突出検知体とを一体に設けたことで、検査部の相対移動に伴い、突出検知体を一体に相対移動させることができる。
【００２０】
この結果、リテーナが所定の位置より検知部材側に突出しているか否かの判別と、端子がコネクタに確実に挿入されているか否かの判別とを一連の動作で行うことができるため、各判別作業を効率よく行うことができる。
【００２１】
またこの発明の態様として、前記リテーナが前記所定の位置に取り付けられた状態において、前記突出検知体と前記検知部材との対向する部分を、互いに嵌合する凹部と凸部で構成することができる。  
前記凹部と前記凸部との嵌合深さは、例えば突出検知体と検知部材とを互いに当接することが可能な深さに設定することができる。
【００２２】
この発明によれば、リテーナが所定の位置より検知部材側に突出しているか否かを正確に判別することができる。  
詳しくは、凹部と凸部とが嵌合する構成としたことで、リテーナが所定の位置より検知部材側に突出するだけで、凹部と凸部との嵌合が不可となる。これにより、リテーナが所定の位置より突出しているか否かを判別することができる。
【００２３】
より具体的には、コネクタが収容部に対して所定の収容状態に収容されていれば、突出検知体を検知部材に対して当接する方向と、凸部と凹部とを嵌合する方向とが一致するため、突出検知体が検知部材に当接されることがない。
【００２４】
一方、コネクタが収容部に対して所定の収容状態に収容されていなければ、当接する方向と、嵌合する方向とが不一致となるため、突出検知体が検知部材に当接される。  
この結果、リテーナが所定の位置より検知部材側に突出しているか否かを判別することができるとともに、コネクタが所定の収容状態に収容されているか否かも判別することができる。
【００２５】
またこの発明の態様として、前記リテーナが前記所定の位置に取り付けられた状態において、前記突出検知体を、前記リテーナ装着部に当接される前記検知部材の当接側端面と反対側の面に沿って移動可能に構成することができる。
【００２６】
この発明によれば、リテーナが所定の位置より検知部材側に突出しているか否かを簡素な構成で正確に判別することができる。  
詳しくは、リテーナが所定の位置に取り付けられた状態において、突出検知体を、検知部材の当接側端面と反対側の面に沿って移動させる構成であるため、例えばリテーナが所定の位置に取り付けられた状態において、突出検知体と検知部材との当接を回避するための回避構造を設ける必要がない。
【００２７】
すなわち、回避構造を設ける必要がない簡素な構成の突出検知体と検知部材とによって、リテーナが所定の位置より検知部材側に突出しているか否かを正確に判別することができる。
【００２８】
またこの発明の態様として、前記コネクタが前記収容部に収容される前の状態において、前記リテーナ装着部に当接される前記検知部材の当接側端面を、前記リテーナ装着部と対向する前記収容部の内壁部より内側に突出することができる。
【００２９】
この発明によれば、リテーナが所定の位置より検知部材側に突出しているか否かをより正確に判別することができる。  
詳しくは、検知部材の当接側端面を、収容部の内壁部より内側に突出する構成としたことで、コネクタを収容部に収容する際に、コネクタのリテーナ装着部を、収容部の内壁部より内側に突出された検知部材の当接側端面に当接させながら収容することができる。つまり、検知部材の当接側端面に当接するコネクタを、付勢手段の付勢力によりリテーナ装着部側の面と反対側の面と対向する収容部の他側壁部に押し付けながら、位置固定することができる。
【００３０】
これにより、コネクタが、収容部の他側壁部に対して押し付けられた状態に保たれるため、リテーナの装着状態を検査する際に、コネクタの収容位置が変位したり、ガタ付いたりすることを確実に防止できる。  
この結果、リテーナの装着状態をより正確に判別することができる。
【００３１】
また、検知部材が、コネクタのリテーナ装着部に対して押し付けられた状態に保たれるため、コネクタのリテーナ装着部に対する検知部材の当接位置が変位することを防止できる。  
これにより、リテーナが所定の位置より検知部材側に突出していることをより確実に検知することができ、コネクタに端子が確実に挿入されているか否かを高い精度で判別することができる。
【００３２】
またこの発明の態様として、前記当接側端面における前記リテーナと対向する部分に、該リテーナ側に向けて突出した当接部を設けることができる。  
この発明によれば、リテーナが所定の位置より検知部材側に突出しているか否かをより高い精度で判別することができる。
【００３３】
詳しくは、リテーナ側に突出した当接部が、リテーナ以外の部分に当接することを回避できるため、検知部材の当接側端面をコネクタのリテーナ装着部に当接させるよりも、リテーナが所定の位置より検知部材側に突出しているか否かをより正確に判別することができる。  
この結果、リテーナが所定の位置に装着されているか否かをより正確に判別することができる。
【００３４】
またこの発明の態様として、前記収容部、及び前記検査部のうち少なくとも一方に、前記収容部と前記検査部とが互いに当接、及び離間されたことを検知する当接検知手段を設けることができる。  
前記当接検知手段は、例えばリミットスイッチ、光電センサ、近接センサ等で構成することができる。
【００３５】
この発明によれば、検査部と収容部との当接を当接検知手段により検知することで、リテーナが所定の位置より検知部材側に突出しているか否かを確実に検知することができる。  
詳しくは、例えば当接された状態を検知する当接検知手段を用いた場合、検査部と収容部とが離間した状態においては、当接検知手段が作動しないため、リテーナが所定の位置に取り付けられていないことを判別することができる。これにより、コネクタに端子が確実に挿入されていないことも検知することができる。
【００３６】
一方、検査部と収容部とが当接された状態においては、当接検知手段が作動するため、リテーナが所定の位置に取り付けられていることを判別することができる。これにより、当接検知手段によりコネクタに端子が確実に挿入されているか否かを検知することができる。
【００３７】
またこの発明は、前記コネクタ検査装置の前記検査部に、前記端子の導通状態を検査する導通検査部を備えた導通検査装置であることを特徴とする。  
上記導通検査部は、例えば導通検査ピン、導通線等で構成することができる。  
この発明によれば、リテーナの装着状態を検査する装着状態検査と、端子の導通状態を検査する導通状態検査とを行うことができる。
【００３８】
詳しくは、端子がコネクタに対して確実に挿入されている場合、コネクタのリテーナ装着部に対してリテーナが所定の位置に取り付けられているため、収容部と検査部とを互いに当接される方向へ相対移動させた際に、検査部に備えた導通検査部がコネクタの端子に接続されることとなり、端子の導通状態を検査することができる。これにより、リテーナが所定の位置に取り付けられていることを判別することができる。
【００３９】
一方、端子がコネクタに対して確実に挿入されていない場合、リテーナが所定の位置より検知部材側に突出することになるため、収容部と検査部とを互いに当接される方向へ相対移動させた際に、検査部に備えた導通検査部がコネクタの端子に接続されず、端子の導通状態を検査することができない。これにより、リテーナが所定の位置に取り付けられていないことを判別することができる。
【００４０】
この結果、リテーナが所定の位置より検知部材側に突出しているか否かの判別と、端子がコネクタに確実に挿入されているか否かの判別と、端子の導通状態の検査とを確実に行うことができる。
【発明の効果】
【００４１】
この発明によれば、リテーナやリテーナ装着部が損傷することなく、リテーナが所定の位置より検知部材側に突出しているか否かを判別することができるコネクタ検査装置、コネクタ検査方法、及び導通検査装置を提供することができる。
【図面の簡単な説明】
【００４２】
【図１】実施例１のコネクタ検査装置の斜視図。
【図２】検査部を収容部側へ移動する前のコネクタ検査装置の側面図。
【図３】図１に示すコネクタ検査装置の平面図。
【図４】図３に示す収容部側を平面方向に分断した拡大断面図。
【図５】図４に示す収容部を平面方向に分断した拡大断面図。
【図６】検査部を収容部側へ移動したコネクタ検査装置の側面図。
【図７】図６に示すコネクタ検査装置を平面方向に分断した断面図。
【図８】リテーナが突出されていない状態の拡大断面図。
【図９】リテーナが突出された状態の拡大断面図。
【図１０】凹部と凸部とが嵌合された実施例２のコネクタ検査装置の拡大断面図。
【図１１】図１０に示す凹部と凸部とが嵌合されない状態の拡大断面図。
【発明を実施するための形態】
【００４３】
この発明の一実施形態を以下図面に基づいて詳述する。  
（実施例１）  
図１は実施例１のコネクタ検査装置１０の斜視図、図２は検査部４０を収容部３０側へ移動する前のコネクタ検査装置１０の側面図、図３は図２に示すコネクタ検査装置１０の平面図、図４は図３に示す収容部３０側を平面方向に分断した拡大断面図、図５は図４に示す収容部３０を平面方向に分断した拡大断面図である。
【００４４】
図６は検査部４０を収容部３０側へ移動したコネクタ検査装置１０の側面図、図７は図６に示すコネクタ検査装置１０を平面方向に分断した断面図、図８はリテーナ４が突出されていない状態の拡大断面図、図９はリテーナ４が突出された状態の拡大断面図である。
【００４５】
なお、以下の説明における長手方向Ｌとは、平面視略矩形のコネクタ検査装置１０の長手方向であり、幅方向Ｗとは、平面方向において長手方向Ｌに直交する短手方向である。また、各図における左側をコネクタ検査装置１０の前端側とし、右側を後端側とする。ただし、図１においては左下側を前端側とし、右上側を後端側とする。
【００４６】
本発明のコネクタ検査装置１０は、図１〜図３に示すように、基台２０の前端側に配置した雄型コネクタ１を収容する収容部３０に向けて、基台２０の中央部に配置した検査部４０を、基台２０の後端側上部に配置した操作部５０の回動操作によって移動させ、雄型コネクタ１に装着したリテーナ４の装着状態と、雄型コネクタ１に挿入した端子２の導通状態を検査する装置である。
【００４７】
先ず、上述の雄型コネクタ１について説明する。  
雄型コネクタ１は、合成樹脂で形成されたハウジング１ａの内部に、被覆電線３の端部に接続された雄型の端子２を挿入するための端子挿入孔１ｂが所定間隔を隔てて複数形成されており、ハウジング１ａの一側面（後述するリテーナ装着部１ｅ側の面）に端子２に係止されるリテーナ４を装着して構成している。
【００４８】
ハウジング１ａの一端側には、図示しない雌型コネクタを嵌合するためのコネクタ嵌合部１ｃが形成されている。ハウジング１ａの他端側には、端子２に接続された被覆電線３を外部に向けて導出するための電線導出部１ｄが形成されている。  
ハウジング１ａの一側面には、リテーナ４を装着するリテーナ装着部１ｅが設けられている。端子挿入孔１ｂは、ハウジング１ａの一端側から他端側に向けて長手方向Ｌに貫通している。
【００４９】
リテーナ４は、リテーナ装着部１ｅに対して所定の位置に装着された状態において、リテーナ４における幅方向Ｗの外側の面と、リテーナ装着部１ｅにおける幅方向Ｗの外側の面とが略面一となるように構成されている。
【００５０】
このリテーナ４は、リテーナ装着部１ｅの所定の位置に装着された状態において、雄型コネクタ１に挿入した端子２に係止されるリテーナ４が所定の位置より幅方向Ｗの外側に向けて突出している状態において、雄型コネクタ１に挿入した端子２に対する係止が不完全となる。
【００５１】
続いて、上述したコネクタ検査装置１０を構成する基台２０、収容部３０、検査部４０、及び操作部５０について説明する。  
基台２０は、図１〜図５に示すように、長手方向Ｌに長い平面視略矩形に形成した底板２１と、底板２１の前端側において幅方向Ｗの両側縁部を略垂直に折り曲げて形成した一対の前方側板２２と、底板２１の後端側における幅方向Ｗの両側縁部に対して略垂直に固定した一対の後方側板２３とで構成され、基台２０の底板２１上に架設された長手方向Ｌと平行する２本のガイド軸２４を備えている。
【００５２】
収容部３０は、基台２０の前端側上面に一対の前方側板２２の間に挟み込まれる態様で固定されており、雄型コネクタ１を収容する凹状の凹状収容部３１と、雄型コネクタ１のリテーナ装着部１ｅと対向する内壁部３２と、内壁部３２に離間する外壁部３５とで構成される。
【００５３】
さらに収容部３０は、離間する壁部３２，３５の間に形成された検知体案内孔３６と、リテーナ装着部１ｅに当接する検知部材３３と、検知部材３３に螺合する段付きボルト３４と、段付きボルト３４を挿通する挿通孔３７と、雄型コネクタ１に向けて検知部材３３を付勢するコイルスプリング３８とを備えている。
【００５４】
凹状収容部３１は、収容部３０の幅方向Ｗの略中央部に形成されており、雄型コネクタ１の収容を容易にするため、雄型コネクタ１を収容した状態において、雄型コネクタ１との対向面間に隙間が確保される大きさ、及び形状に形成されている。
【００５５】
凹状収容部３１の後端側には、雄型コネクタ１の一端側に形成されたコネクタ嵌合部１ｃを、検査部４０側に向けた状態に保持するための嵌合側受け部３１ａが形成されている。  
凹状収容部３１の前端側には、雄型コネクタ１の他端側に形成された電線導出部１ｄを、前方側に向けた状態に保持するための導出側受け部３１ｂが形成されている。
【００５６】
内壁部３２の前端側には、幅方向Ｗに貫通する部材案内孔３２ａを形成している。部材案内孔３２ａは、凹状収容部３１に収容された雄型コネクタ１のリテーナ装着部１ｅと対向する位置に対して後述する当接方向Ａと直交する方向に向けて形成されている。
【００５７】
検知部材３３は、図４及び図５にも示すように、リテーナ装着部１ｅと当接する当接側端面３３ａと、当接側端面３３ａからリテーナ４に向けて突出形成された当接部３３ｂと、後端側で後述する検査部４０の突出検知体４１が当接する突出検知面３３ｃとを有する平面視略矩形のブロック体であり、凹状収容部３１に収容された雄型コネクタ１のリテーナ装着部１ｅと対向する内壁部３２の部材案内孔３２ａ内に配置されている。
【００５８】
この検知部材３３は、検査部４０を収容部３０側へ移動する方向、すなわち、検査部４０を収容部３０に当接する当接方向Ａと直交する方向において、当接側端面３３ａがリテーナ装着部１ｅに当接する当接位置と、当接しない非当接位置とに移動可能である。
【００５９】
当接側端面３３ａは、突出検知面３３ｃと直交する面であり、雄型コネクタ１０を凹状収容部３１に収容する前の状態において、凹状収容部３１の内壁部３２より内側へ所定の長さだけ突出されている。
【００６０】
当接部３３ｂは、図５のａ部拡大図に示すように、雄型コネクタ１のリテーナ装着部１ｅに装着したリテーナ４と対向する部分に、リテーナ４に当接される当接部３３ｂが、リテーナ４に向けて突出形成されており、雄型コネクタ１のリテーナ装着部１ｅに装着したリテーナ４のみに当接され、リテーナ４以外の部分に当接することを回避できる大きさ、及び形状に形成されている。
【００６１】
段付きボルト３４は、図４及び図５に示すように、幅方向Ｗに沿って後述する外壁部３５の挿通孔３７に挿通されるとともに、検知部材３３の当接側端面３３ａと反対側の面に螺合される軸部３４ａを有する。
【００６２】
軸部３４ａは、内壁部３２と外壁部３５との間で露出する外周面にコイルスプリング３８が装着されている。  
外壁部３５は、その前端側に幅方向Ｗに貫通した挿通孔３７が形成されている。挿通孔３７は、軸部３４ａが挿入可能な大きさ、及び形状に形成されており、段付きボルト３４を摺動可能としている。
【００６３】
検知体案内孔３６は、内壁部３２と外壁部３５との間において、収容部３０の後端側から突出検知体４１が摺動可能な大きさ、及び形状に形成されており、当接方向Ａに向けて形成されている。  
コイルスプリング３８は、検知部材３３と外壁部３５との間に装填されており、雄型コネクタ１のリテーナ装着部１ｅに向けて検知部材３３を付勢している。
【００６４】
検査部４０は、図４及び図５にも示すように、一対の前方側板２２と一対の後方側板２３とのそれぞれの間に挟み込まれる態様で、基台２０の中央部上面に配置されており、検知部材３３の突出検知面３３ｃに当接される突出検知体４１と、検査部４０を収容部３０に当接した際に作動する検知スイッチ４２と、凹状収容部３１に収容した雄型コネクタ１を押える押え部４３とで構成されている。
【００６５】
また、検査部４０に、雄型コネクタ１の端子２に接続される導通検査ピン４４と、導通検査ピン４４の端部に接続される導通線４５とを備えることで、導通検査装置１１を構成している。
【００６６】
この突出検知体４１は、リテーナ４がリテーナ装着部１ｅの所定の位置に装着され、検知部材３３がリテーナ装着部１ｅに当接する当接位置に移動された状態において、検知部材３３が内壁部３２より外側に突出しない構成としているため、検知部材３３の突出検知面３３ｃと反対側の面に沿って移動可能となる。
【００６７】
一方、リテーナ４が所定の位置に装着されておらず、検知部材３３がリテーナ装着部１ｅに当接されない非当接位置に移動した場合、検知部材３３が内壁部３２より外側に突出するため、突出検知体４１の前端面が検知部材３３の突出検知面３３ｃに当接される。
【００６８】
検知スイッチ４２は、検査部４０において収容部３０に対向するとともに当接する部分に設けられている。この検知スイッチ４２は、検査部４０が収容部３０に当接されることにより、ＯＮ状態となって作動する。検査部４０が収容部３０に当接されず離間した状態に規制されている際はＯＮ状態とならず、ＯＦＦ状態を維持する。
【００６９】
押え部４３は、検査部４０における前端側上部から当接方向Ａに向けて突出するとともに、検査部４０と一体に設けられており、雄型コネクタ１を凹状収容部３１に収容した状態において、コネクタ嵌合部１ｃの上面側を覆う大きさ、及び形状に形成されている。
【００７０】
検査部４０の底部は、基台２０の底板２１上に架設したガイド軸２４に対して前後移動可能に取り付けられており、ガイド軸２４に沿って当接方向Ａへ移動できる。  
導通検査ピン４４は、検査部４０の内部に収容部３０側に向けて設けられており、凹状収容部３１に収容した雄型コネクタ１の端子２と対向する部分に複数配置されている。
【００７１】
導通線４５は、一端が導通検査ピン４４に接続され、他端が検査部４０から外部へ引き出されて図示しない導通装置に接続されている。  
突出検知体４１は、検査部４０における収容部３０の検知体案内孔３６と対向する部分に、当接方向Ａに向けて突出するとともに、検査部４０と一体に設けられており、検査部４０の移動に伴って当接方向Ａに向けて摺動可能に挿入されている。
【００７２】
操作部５０は、作業者の手で回動操作するレバー５１と、レバー５１に連結されたレバー本体５２と、レバー本体５２を前後揺動可能に枢着する枢支ピン５３と、通検査部４０の後側両端部に当接されるカム部５４とで構成されている。
【００７３】
このレバー５１は、前端側から見て上下逆Ｕ字状のレバー本体５２の遊端側に取り付けられている。レバー本体５２は、枢支ピン５３を介して基台２０における一対の後方側板２３に対して前後揺動可能に枢着されている。カム部５４は、検査部４０の後側両端部に対して当接される部分に形成されている。
【００７４】
以上のように構成したコネクタ検査装置１０は、雄型コネクタ１を、検知部材３３の当接側端面３３ａに当接させながら収容部３０の凹状収容部３１に収容した後、レバー５１を前方（図６実線で示す状態）へ回動操作することにより、検査部４０が収容部３０に対して当接する当接方向Ａへ移動することができる。
【００７５】
検査部４０が当接方向Ａへ移動すると、検査部４０の導通検査ピン４４が凹状収容部３１に収容した雄型コネクタ１の端子２に接触するとともに、押え部４３が凹状収容部３１に収容した雄型コネクタ１の上面側へ移動する。
【００７６】
一方、レバー５１を後方（図２実線で示す状態）へ回動操作することにより、レバー本体５２のカム部５４が検査部４０の後側両端部から離間するとともに、検査部４０を、収容部３０側へ移動する前の待機位置へ当接方向Ａと反対の方向へ移動させることができる。
【００７７】
さらに検査部４０の導通検査ピン４４を雄型コネクタ１の端子２から離間させるとともに、押え部４３を、凹状収容部３１に収容した雄型コネクタ１の上面側から退避させることができる。  
これにより、雄型コネクタ１を収容部３０の凹状収容部３１から抜き取ることができる。
【００７８】
上述のコネクタ検査装置１０を用いて、雄型コネクタ１に装着したリテーナ４の装着状態を検査するコネクタ検査方法、雄型コネクタ１に挿入した端子２の導通状態を検査する導通検査方法、及び効果について説明する。
【００７９】
先ず、端子２を雄型コネクタ１の端子挿入孔１ｂの所定位置に確実に挿入した場合について述べる。端子２が雄型コネクタ１の端子挿入孔１ｂに対して確実に挿入されているため、図３〜図８に示すように、雄型コネクタ１のリテーナ装着部１ｅに対してリテーナ４が所定の位置において検知部材３３側に突出しておらず、またリテーナ４は端子２に対して確実に係止されている。
【００８０】
この雄型コネクタ１を、収容部３０の凹状収容部３１に収容する収容工程を行う。このとき、検知部材３３は、コイルスプリング３８の付勢力によって当接部３３ｂがリテーナ装着部１ｅに対して面一に装着されたリテーナ４と当接する。したがって、検知部材３３が内壁部３２よりも外側に突出しないこととなる。
【００８１】
次に、検査部４０を収容部３０に対して当接される方向へ相対移動させる移動工程を行う場合、操作部５０のレバー５１を前方へ回動操作する。これにより、検査部４０が当接方向Ａへ移動するとともに、検査部４０の移動に伴って突出検知体４１が当接方向Ａへ移動する。上述のように、検知部材３３が内壁部３２よりも外側に突出しないため、突出検知体４１は検知部材３３の突出検知面３３ｃに当接されることがなく、突出検知体４１が雄型コネクタ１のリテーナ装着部１ｅに沿って移動する。
【００８２】
これにより、検査部４０が収容部３０に当接され、検知スイッチ４２がＯＮ状態となって作動するため、リテーナ４が所定の位置より検知部材３３側に突出していないことを確実に判別することができる。したがって、雄型コネクタ１に端子２が確実に挿入されていることを判別することができる。
【００８３】
この結果、検査部４０を収容部３０に当接する際に、押え部４３を、凹状収容部３１の上面側へ移動させて、雄型コネクタ１を凹状収容部３１に収容した状態に保持するとともに、検査部４０の導通検査ピン４４が、収容部３０に収容した雄型コネクタ１の端子２に接触し、端子２の導通状態を検査できる。
【００８４】
続いて、端子２が雄型コネクタ１の端子挿入孔１ｂに対して確実に挿入されていない場合について述べる。  
図９に示すように、端子２に対するリテーナ４の係止が不確実であり、リテーナ４の少なくとも一部が端子２に係止されていない非係止分だけ、雄型コネクタ１のリテーナ装着部１ｅより検知部材３３側に突出することとなる。
【００８５】
この雄型コネクタ１を収容部３０に収容すると、当接側端面３３ａの当接部３３ｂが外側に突出しているリテーナ４のみに当接し、コイルスプリング３８の付勢力に抗して、リテーナ４の非係止分に対応する寸法分だけ、リテーナ４に対して当接される方向と反対の方向へ押し戻される。
【００８６】
この状態において、操作部５０のレバー５１を前方へ回動操作する。これにより、検査部４０が収容部３０側へ移動することとなり、検査部４０の移動に伴って突出検知体４１が前方に移動するが、検査部４０の突出検知体４１が検知部材３３の突出検知面３３ｃに当接し、検査部４０の収容部３０側への移動が阻止される。
【００８７】
このため、検査部４０と収容部３０とが離間した状態に規制されるので、検知スイッチ４２が作動せず、ＯＦＦ状態のままである。つまり、検知スイッチ４２がＯＮ状態に作動しないことで、雄型コネクタ１のリテーナ装着部１ｅに装着されたリテーナ４が所定の位置より検知部材３３側に突出していることを確実に判別することができる。  
この結果、端子２が雄型コネクタ１の端子挿入孔１ｂに対して確実に挿入されていないことを判別することができる。
【００８８】
また、突出検知体４１は検知部材３３のみに当接され、リテーナ４には直接当接されないため、突出検知体４１の当接力は、検知部材３３を介してリテーナ４に対して間接的に作用するものの、リテーナ４に対して当接力が直接作用することを防止できる。  
これにより、リテーナ４やリテーナ装着部１ｅが損傷することを確実に防止することができる。
【００８９】
さらに、例えば突出検知部材の直接的な当接により、所定の位置より検知部材３３側に突出したリテーナ４の突出部分が破損すると、端子２に対するリテーナ４の係止が不確実であるにもかかわらず、リテーナ４が所定の位置より検知部材３３側に突出していないと誤判別されるおそれがあるが、本発明のコネクタ検査装置１０を用いて端子２の導通状態を検査することにより、リテーナ４が損傷することを防止できるため、リテーナ４の損傷による誤判定を防止できる。
【００９０】
さらにまた、検査部４０と突出検知体４１とを一体に設けたことで、リテーナ４が所定の位置より検知部材３３側に突出しているか否かの判別と、端子２が雄型コネクタ１０に確実に挿入されているか否かの判別と、端子２の導通検査とを一連の動作で行うことができるため、各判別作業と検査作業とを効率よく行うことができる。
【００９１】
さらにまた、突出検知体４１を、検知部材３３が内壁部３２より外側に突出されていない状態において、検知部材３３における雄型コネクタ１のリテーナ装着部１ｅに当接される当接側端面３３ａと反対側の面に沿って移動させる構成であるため、例えばリテーナ４が所定の位置に装着された状態において、突出検知体４１と検知部材３３との当接を回避するための回避構造を設ける必要がない。
【００９２】
すなわち、回避構造を設ける必要がない簡素な構成の突出検知体４１と検知部材３３とによって、リテーナ４が所定の位置より検知部材３３側に突出しているか否かを正確に判別することができる。
【００９３】
さらにまた、検知部材３３は、雄型コネクタ１０を凹状収容部３１に収容する前の状態において、当接側端面３３ａが凹状収容部３１の内壁部３２より内側へ所定の長さだけ突出されるとともに、コイルスプリング３８の付勢力により雄型コネクタ１のリテーナ装着部１ｅに対して当接される方向に付勢されている。
【００９４】
すなわち、雄型コネクタ１を、検知部材３３の当接側端面３３ａに当接させながら収容部３０の凹状収容部３１に収容することにより、検知部材３３の当接側端面３３ａに当接する雄型コネクタ１を、コイルスプリング３８の付勢力によりリテーナ装着部１ｅ側の面と反対側の面と対向する凹状収容部３１の他側壁部に押し付けながら、位置固定することができる。
【００９５】
これにより、雄型コネクタ１が、凹状収容部３１の他側壁部に押し付けられた状態に保たれるため、安定した収容状態に保持することができる。  
つまり、端子２の導通状態を検査する際に、雄型コネクタ１の収容位置が変位したり、ガタ付いたりすることを防止できるため、より確実に端子２の導通状態を検査することができる。
【００９６】
さらにまた、リテーナ４側に突出した検知部材３３の当接部３３ｂが、リテーナ４以外の部分に当接することを回避できるため、検知部材３３の当接側端面３３ａを雄型コネクタ１のリテーナ装着部１ｅに当接させるよりも、リテーナ４が所定の位置より検知部材３３側に突出しているか否かをより正確に判別することができる。
【００９７】
さらにまた、検査部４０に導通検査ピン４４と導通線４５とを備えることで、リテーナ４が所定の位置に取り付けられている場合、検査部４０を収容部３０側へ移動させると、検査部４０の導通検査ピン４４が雄型コネクタ１の端子２に接続されるため、端子２の導通状態を検査することができる。
【００９８】
一方、リテーナ４が所定の位置より検知部材３３側に突出している場合、検査部４０の導通検査ピン４４が雄型コネクタ１の端子２に接続されず、端子２の導通状態を検査することができない。
【００９９】
このように、端子２の導通状態を検査することで、リテーナ４が所定の位置より検知部材３３側に突出しているか否かの判別と、端子２が雄型コネクタ１に確実に挿入されているか否かの判別と、端子２の導通状態の検査とを確実に行うことができる。
【０１００】
以下、上述のコネクタ検査装置１０、及びコネクタ検査方法のその他の例について説明する。この説明において、前記構成と同一または同等の部位については同一の符号を記してその詳しい説明を省略する。
【０１０１】
（実施例２）  
上述の実施例１では、検査部４０の突出検知体４１を、検知部材３３の突出検知面３３ｃに当接する構成について説明したが、図１０、図１１に示すように、検知部材３３と突出検知体４１との対向する部分に設けられた凹部３３１と凸部４１１とを互いに嵌合する構成について説明する。
【０１０２】
なお、図１０は凹部３３１と凸部４１１とが嵌合された実施例２のコネクタ検査装置１０の拡大断面図であり、図１１は図１０に示す凹部３３１と凸部４１１とが嵌合されない状態の拡大断面図である。
【０１０３】
詳しくは、検知部材３３と突出検知体４１との対向する部分には、互いに嵌合する凹部３３１と凸部４１１とが設けられている。凹部３３１は、検知部材３３における検査部４０と対向する部分に設けられた溝部である。凸部４１１は、検査部４０における検知部材３３の凹部３３１と対向する部分に対して検知部材３３側に向けて突設されている。  
凹部３３１、及び凸部４１１の嵌合深さは、検知部材３３と検査部４０との当接が可能な嵌合深さに設定されている。
【０１０４】
実施例２のコネクタ検査装置１０を用いて、雄型コネクタ１に装着したリテーナ４の装着状態を検査するコネクタ検査方法、雄型コネクタ１に挿入した端子２の導通状態を検査する導通検査方法、及び効果について説明する。  
先ず、端子２が雄型コネクタ１の端子挿入孔１ｂに対して確実に挿入されている場合、図１０に示すように、雄型コネクタ１のリテーナ装着部１ｅに対してリテーナ４が所定の位置より検知部材３３側に突出しておらず、またリテーナ４は端子２に対して確実に係止されている。
【０１０５】
この雄型コネクタ１を収容部３０の凹状収容室３１に収容する。このとき、検知部材３３は、コイルスプリング３８の付勢力によって当接部３３ｂがリテーナ装着部１ｅと面一に形成されたリテーナ４と当接する。これにより、検知部材３３の凹部３３１と検査部４０の凸部４１１とが対向する位置に配置される。
【０１０６】
次に、操作部５０のレバー５１を前方へ回動操作する。これにより、検査部４０が当接方向Ａへ移動するとともに、検査部４０の移動に伴って検査部４０の凸部４１１が当接方向Ａへ移動する。
【０１０７】
このとき、検査部４０の凸部４１１が検知部材３３の突出検知面３３ｃに当接されることがなく、互いに対向する凸部４１１と凹部３３１とが嵌合するため、検査部４０を収容部３０に当接することができる。
【０１０８】
したがって、検知スイッチ４２により検査部４０と収容部３０とが当接されたことを検知するとともに、検査部４０の導通検査ピン４４が、収容部３０に収容した端子２と接触し、端子２の導通状態を検査する。
【０１０９】
つまり、検知スイッチ４２が作動することで、リテーナ４が所定の位置に装着されていることを判別することができる。これにより、雄型コネクタ１に端子２が確実に挿入されていることを判別することができる。
【０１１０】
続いて、端子２が雄型コネクタ１の端子挿入孔１ｂに対して確実に挿入されていない場合について述べる。  
図１１に示すように、端子２が雄型コネクタ１の端子挿入孔１ｂに対して確実に挿入されていない場合、端子２に対するリテーナ４の係止が不確実であるため、リテーナ４が所定の位置より検知部材３３側に突出していることになる。
【０１１１】
この場合、実施例１と同様に、リテーナ４の突出分だけ、リテーナ４に当接された検知部材３３が、雄型コネクタ１のリテーナ装着部１ｅに対して当接される方向と反対の方向へ押し戻されるとともに、雄型コネクタ１のリテーナ装着部１ｅより離間される。
【０１１２】
したがって、検査部４０の凸部４１１と、検知部材３３の凹部３３１との嵌合位置にズレが生じるため、検査部４０を収容部３０側へ移動する際に、検査部４０の凸部４１１が検知部材３３の突出検知面３３ｃに当接されるとともに、検査部４０の収容部３０側への移動が阻止される。検査部４０と収容部３０との間が離間した状態に規制されるため、検知スイッチ４２が作動することがない。
【０１１３】
つまり、検知スイッチ４２が作動しないことで、リテーナ４が所定の位置より検知部材３３側に突出していることを判別することができる。  
この結果、リテーナ４が所定の位置より検知部材３３側に突出しているか否かを確実に判別することができるため、端子２が端子挿入孔１ｂに確実に挿入されていることも判別することができる。
【０１１４】
また、凹部３３１と凸部４１１とが嵌合する構成としたことで、リテーナ４が所定の位置より検知部材３３側に突出するだけで、凹部３３１と凸部４１１との嵌合が不可となる。これにより、リテーナ４が所定の位置より突出しているか否かを判別することができる。
【０１１５】
より具体的には、雄型コネクタ１が収容部３０に対して所定の収容状態に収容されていれば、突出検知体４１を検知部材３３に対して当接する方向と、凸部４１１と凹部３３１とを嵌合する方向とが一致するため、突出検知体４１の凸部４１１が検知部材３３の突出検知面３３ｃに当接されることがない。
【０１１６】
一方、雄型コネクタ１が収容部３０に対して所定の収容状態に収容されていなければ、上述の当接する方向と、嵌合する方向とが不一致となるため、突出検知体４１の凸部４１１が検知部材３３の突出検知面３３ｃに当接される。  
これにより、リテーナ４が所定の位置より突出しているか否かを確実に判別することができるため、上記実施例１に加えた実施例２の作用、及び効果を奏することができる。
【０１１７】
この発明の構成と、前記実施形態との対応において、  
この発明のコネクタは、実施形態の雄型コネクタ１に対応し、  
以下同様に、  
付勢手段は、コイルスプリング３８に対応し、  
当接検知手段は、検知スイッチ４２に対応し、  
導通検査部は、導通検査ピン４４及び導通線４５に対応するも、  
この発明は、上述の実施形態の構成のみに限定されるものではなく、請求項に示される技術思想に基づいて応用することができ、多くの実施の形態を得ることができる。
【０１１８】
上記実施例１では、端子挿入孔１ｂに設けられたリテーナ４を端子２に係止する単一の保持構造について説明したが、例えば端子挿入孔１ｂに設けられた図示しないランス部、及びリテーナ４を端子２に係止する二重の保持構造を採用してもよい。
【０１１９】
また、コネクタを雄型コネクタ１で構成し、端子を雄型の端子２で構成した例について説明したが、例えば端子を雌型の端子で構成し、コネクタを雌型コネクタで構成することもできる。
【０１２０】
実施例１，２では、リテーナ４が雄型コネクタ１のリテーナ装着部１ｅより検知部材３３側に突出しているか否かを判別する例について説明したが、例えばリテーナ４が雄型コネクタ１の一側面（リテーナ装着部１ｅ）と反対側の面に装着されていても、リテーナ４が検知部材３３側に突出しているか否かを判別することも可能である。
【０１２１】
つまり、リテーナ４が雄型コネクタ１の一側面と反対側の面より外側に突出している場合、リテーナ４の突出した部分が収容部３０の他側壁部に当接されるため、雄型コネクタ１全体が収容部３０の内壁部側に寄ることになる。
【０１２２】
これにより、雄型コネクタ１の一側面に当接された検知部材３３が、収容部３０の内壁部３２より外側へ突出されるため、上記実施例１，２と同様に、リテーナ４が所定の位置より外側に突出しているか否かを判別することができる。
【０１２３】
さらにまた、実施例１，２では、検査部４０を収容部３０側へ移動させてリテーナ４が所定の位置より外側に突出しているか否かを判別するが、収容部３０を検査部４０側へ移動させても判別することが可能である。  
なお、検査部４０を、例えばコイルスプリングや合成ゴム等の弾性体により当接方向Ａと反対の方向へ復帰されるように付勢してもよい。
【０１２４】
さらにまた、検知部材３３に突出検知体４１が当接されたか否かを報知するための報知手段（例えばブザーやランプ等）を設けたり、あるいは、当接されたか否かを目視により確認可能に設けることも可能である。
【符号の説明】
【０１２５】
Ｌ…長手方向
Ｗ…幅方向
Ａ…当接方向
１…雄型コネクタ
１ｂ…端子挿入孔
１ｅ…リテーナ装着部
２…端子
４…リテーナ
１０…コネクタ検査装置
１１…導通検査装置
２０…基台
３０…収容部
３１…凹状収容部
３２…内壁部
３２ａ…部材案内孔
３３…検知部材
３３ａ…当接側端面
３３ｂ…当接部
３３ｃ…突出検知面
３３１…凹部
３４…段付きボルト
３５…外壁部
３６…検知体案内孔
３８…コイルスプリング
４０…検査部
４１…突出検知体
４１１…凸部
４４…導通検査ピン
５０…操作部
５１…レバー
【図１】
2017117683.tif 000003
【図２】
2017117683.tif 000004
【図３】
2017117683.tif 000005
【図４】
2017117683.tif 000006
【図５】
2017117683.tif 000007
【図６】
2017117683.tif 000008
【図７】
2017117683.tif 000009
【図８】
2017117683.tif 000010
【図９】
2017117683.tif 000011
【図１０】
2017117683.tif 000012
【図１１】
2017117683.tif 000013